(57)【要約】【課題】住居等への光害を効果的に抑制できるとともに、目的配光を有効に実現できる照明器具及び照明装置を提供することを目的とする。【解決手段】本発明は、光源２と、この光源２からの出射される光を下方全周方向に反射する反射面Ｒを内側に有するカバー３と、このカバー３の下部に接続され、光源２の中心軸周りに配設される透光性のグローブ４と、光源２から反射面Ｒ方向へ出射される光を遮る上方遮光体７と、光源２の中心軸に対して、前記上方遮光体７と上下対角位置に配設され、光源２から外方へ出射される光を遮る下方遮光体８とを備える照明器具である。【選択図】図２
2010272325.tif 000002
【特許請求の範囲】
【請求項１】
光源と；
この光源からの出射される光を下方全周方向に反射する反射面を内側に有するカバーと；
このカバーの下部に接続され、光源の中心軸周りに配設される透光性のグローブと；
光源から反射面方向へ出射される光を遮る上方遮光体と；
光源の中心軸に対して、前記上方遮光体と上下対角位置に配設され、光源から外方へ出射される光を遮る下方遮光体と；
を具備することを特徴とする照明器具。
【請求項２】
前記上方遮光体における光源との対向面は、反射率が低く形成されていることを特徴とする請求項１に記載の照明器具。
【請求項３】
請求項１又は請求項２に記載の照明器具と；
この照明器具が取付けられるポールと；
を具備することを特徴とする照明装置。
【発明の詳細な説明】
【技術分野】
【０００１】
本発明は、街路灯や道路灯などに適用される照明器具及び照明装置に関する。
【背景技術】
【０００２】
一般的に、街路灯などは、道路や街路などの地中内に立設された直線中空状のポールの上方に照明器具を取付け、この照明器具から全周方向へ光を照射している。そして、過剰又は不要な光漏れ、すなわち、光害対策のため、反射板を設けたり、ルーバ等を設けたりして天空への光漏れや住居等への光漏れを抑制するとともに光の効率的な利用を図っている（例えば、特許文献１参照）。
【先行技術文献】
【特許文献】
【０００３】
【特許文献１】特開２０００−２９４０３１号公報
【発明の概要】
【発明が解決しようとする課題】
【０００４】
しかしながら、例えば、図７及び図８に示すように、アパート、マンション等の住居に隣接して街路灯が設置されている場合、特に、街路灯と対向する低層階の住居においては、光源からの直接光や天空への光漏れを抑制する反射板からの反射光が作用し（図８、Ｘ方向）、光害対策が十分に機能しないという状態が生じている。
【０００５】
本発明は、上記課題に鑑みなされたもので、住居等への光害を効果的に抑制できるとともに、目的配光を有効に実現できる照明器具及び照明装置を提供することを目的とする。
【課題を解決するための手段】
【０００６】
請求項１に記載の照明器具は、光源と；この光源からの出射される光を下方全周方向に反射する反射面を内側に有するカバーと；このカバーの下部に接続され、光源の中心軸周りに配設される透光性のグローブと；光源から反射面方向へ出射される光を遮る上方遮光体と；光源の中心軸に対して、前記上方遮光体と上下対角位置に配設され、光源から外方へ出射される光を遮る下方遮光体と；を具備することを特徴とする。
【０００７】
本発明及び以下の発明において、特に指定しない限り用語の定義及び技術的意味は次による。光源は、高圧放電ランプ、無電極点灯方式のランプ、蛍光ランプ、ハロゲンランプのような白熱電球やＬＥＤ等の固体発光素子等の適用が可能であり、その種類は限定されない。反射面は、例えば、カバーの内面に形成されていてもよいし、カバーの内側に反射板や反射鏡を設けて構成してもよい。透光性のグローブは、光が透過されればよく、透明や拡散性を有する乳白のもの等が適用できる。
【０００８】
上方遮光体及び下方遮光体は、光源の周囲を覆うように形成するのが好ましいが、平板状に形成されたものであってもよく、その形状や大きさが格別限定されるものではない。また、上方遮光体と下方遮光体とは、一体的に構成しても別体的に構成してもよい。
【０００９】
請求項２に記載の照明器具は、請求項１に記載の照明器具において、前記上方遮光体における光源との対向面は、反射率が低く形成されていることを特徴とする。
【００１０】
反射率が低く形成とは、鏡面処理や白色の塗装等がなされておらず、所定の光を吸収する作用をなすように形成されていることを意味し、例えば、対向面に塗装を施して構成してもよいし、上方遮光体を形成する材質自体の表面によって構成してもよい。
【００１１】
請求項３に記載の照明装置は、請求項１又は請求項２に記載の照明器具と；この照明器具が取付けられるポールと；を具備することを特徴とする。
【発明の効果】
【００１２】
請求項１に記載の発明によれば、天空及び住居等への光漏れを抑制でき、光害を効果的に抑制できるとともに、目的配光を有効に実現できる照明器具を提供することができる。
【００１３】
請求項２に記載の発明によれば、請求項１に記載の発明の効果に加え、住居等へ向かう光漏れを一層低減することができる。
【００１４】
請求項３に記載の発明によれば、各請求項に記載の発明の効果を奏する照明装置を提供することができる。
【図面の簡単な説明】
【００１５】
【図１】本発明の第１の実施形態に係る照明装置を示す斜視図である。
【図２】同照明装置を示す断面図である。
【図３】同照明装置を示す分解斜視図である。
【図４】同照明器具の遮光体の位置関係を模式的に示す平面図である。
【図５】同住居と照明器具の遮光体との位置関係を模式的に示す平面図である。
【図６】本発明の第２の実施形態に係る照明装置を示す正面図である。
【図７】照明装置の設置例を示す説明図である。
【図８】照明装置の配光状態を模式的に示す説明図である。
【発明を実施するための形態】
【００１６】
以下、本発明の第１の実施形態に係る照明器具及び照明装置について図１乃至図６を参照して説明する。図は、照明装置としての街路灯を示し、この街路灯は、照明器具である灯体１と、地中内に立設されて上端に灯体１が連結されるポールＰとから構成されている。
【００１７】
図１乃至図４に示すように、灯体１は、全体が略球形に構成され、内部に光源２を収容し、上部のカバー３、下部のグローブ４、反射面Ｒが形成された反射鏡５、ホルダ６、上方遮光体７及び下方遮光体８を備えている。
【００１８】
カバー３は、アルミニウム材料にて下縁を開口する半球状に形成されている。カバー３の内側には、同じくアルミニウム材料で形成され下縁が開口されたキャップ状の反射鏡５が配置されている。この反射鏡５の内面側は、光源２からの光を下方全周に反射し、反射効率を高めるため鏡面処理が施され、反射面Ｒが構成されている。この反射面Ｒは、白色の焼付け塗装等によって構成してもよく、また、カバー３自体の内面に白色の焼付け塗装等を施して構成してもよい。この場合には、反射鏡５を省略することができる。
【００１９】
グローブ４は、カバー３の下部に接続されており、透光性であり、アクリル材料にて上縁を開口する透明の半球状に形成され、光源２から放射された光が透過するように、光源２の中心軸周りに配設されている。なお、グローブ３は、拡散性を有する乳白に形成してもよい。以上のカバー３、反射鏡５及びグローブ４は、それぞれの開口の縁部において、取付金具を介してねじ等の固定手段によって一体的に結合されている。
【００２０】
グローブ４の下部には、ポールＰが挿入されて固定されるホルダ６が取付けられている。また、ホルダ６には、断面台形状のバッフル台６１が取付けられており、このバッフル台６１の内側にはソケット台６２及びこのソケット台６２の上端に取付けられたソケット６３が設けられている。このソケット６３は、ポールＰに内蔵された図示しない点灯装置とリード線を介して接続されており、光源２が取付けられるようになっている。
【００２１】
光源２は、例えば、１００Ｗのセラミックメタルハライドランプであり、外管の中に発光管２１を有し、その口金がソケット６３に接続され、ランプの中心軸が上下方向になるように配置されている。なお、光源２には、高圧ナトリウムランプや無電極点灯方式のランプ等が適用でき、その種類は格別限定されるものではない。
【００２２】
次に、光源２の中心軸周りには上方遮光体７と下方遮光体８とが光源２の中心軸に対して上下対角位置に、バッフル台６１に取付けられたそれぞれ一対の支持脚９によって支持され配設されている。上方遮光体７及び下方遮光体８は、例えば、アルミニウムの板材で形成されており、光源２の外周半分を覆うように軸方向に所定の長さ寸法を有する半円弧状をなしている。したがって、上方遮光体７は、光源２の上側半分を覆い、下方遮光体８は、光源２の下側半分を覆うようになっている。
【００２３】
これら、上方遮光体７及び下方遮光体８の詳細な配置は、平面上は、図４に示すように、相互に対向して光源２の全周を覆い、側面上は、図２に示すように、相互に対角位置で、光源２の発光管２１と反射鏡５の下縁とを結ぶ仮想線Ｌを基準として配置され、光源２の軸方向の長さ分を覆うようになっている。つまり、上方遮光体７の下端及び下方遮光体８の上端が仮想線Ｌ上に位置するように規制されて配置されている。したがって、上方遮光体７の下端と下方遮光体８の上端との位置は、略一致するようになっている。
【００２４】
また、上方遮光体７の内側、すなわち、光源２との対向面には、反射率の低い黒色系の塗装等がなされており、一方、下方遮光体８の光源２との対向面には、反射率の高い白色系の塗装等がなされている。さらに、反対に、上方遮光体７の外側は、反射率の高い白色系の塗装等を施し、下方遮光体８の外側は、反射率の低い黒色系の塗装等を施すのが好ましい。
【００２５】
次に、このように構成された街路灯の作用を代表として図２を参照し説明する。 まず、点灯装置、ソケット６３を経由して電源を光源２に投入すると、光源２から光が全周に放射される。この場合、上述のような上方遮光体７及び下方遮光体８が設けられていない状態では、主として光源２からの光は、直接グローブ４を透過して全周方向に照射されるとともに、上方へ向かう光は、天空への光漏れを抑制する反射鏡５の反射面Ｒに反射されて下方全周方向に照射される。したがって、図８に示すように、左側に住居があった場合には、光源２からの直接光や反射面Ｒからの反射光がＸ方向に作用し、住居への光害となる不都合が生じる。
【００２６】
本実施形態では、光源２からの直接光のみならず、天空への光漏れを抑制し、効率的に配光する反射面Ｒからの反射光にも着目している。図２において、左側に住居等があると仮定する。第１に、光源２からの直接光は、下方遮光体８に遮られ、住居等への向かう照射が低減される。また、第２に、光源２から反射面Ｒへ向かい反射されて住居等への向かう反射光は、光源２から反射面Ｒへ向かう途中で上方遮光体７に遮られる。したがって、住居等への向かう直接光及び反射光は、低減され、図８に示すように、主としてＹ方向に作用することとなる。さらに、上方遮光体７の内側は、反射率が低くなるように形成されているので住居等への向かう光は一層低減される。
【００２７】
一方、目的配光、つまり、図示上、右側の道路等への照射については、光源２からの光は、遮光されることなくグローブ４を透過して直接照射される。また、光源２から主として左上方の反射面Ｒに反射された反射光も上方遮光体７と下方遮光体８との間を通過し、グローブ４を透過して照射される。したがって、住居等の光害を抑制しつつ、目的配光が有効に実現できる。さらに、下方遮光体８の内側は、反射率が高くなるように形成されているので、この下方遮光体８の内側で反射された光も利用でき、一層効果的な目的配光が可能となる。
【００２８】
ここで、前記光源２の発光管２１と反射鏡５の下縁とを結ぶ仮想線Ｌは、概略的には、遮光角を規定するラインとなるが、上方遮光体７の下端及び下方遮光体８の上端が仮想線Ｌ上に位置するように配置されているので、上方遮光体７が例えば、仮想線Ｌを越えて下方に延出し、遮光角を大きくして照射範囲を狭めるようなことにはならない。また、下方遮光体８が例えば、仮想線Ｌを越えて上方に延出し、本来の遮光範囲に無意味に作用したり、目的配光の障害となったりすることがない。したがって、有効に遮光でき、かつ目的の配光が可能となる。
【００２９】
このような街路灯は、通常、歩道と車道の境界の歩道側に設置され、道路に沿って複数本立設される。この内、住居等に光漏れが作用する虞がある街路灯に前記のような上方遮光体７及び下方遮光体８を取付けるようにする。したがって、基本的には、他の街路灯と共通化することができる。また、図５に示すように、例えば、住居の境目に街路灯が設置される場合には、住居側へ光が照射されないように、上方遮光体７及び下方遮光体８の向きを変更すればよい。
【００３０】
以上のように本実施形態によれば、天空及び住居等への光漏れを抑制でき、光害を効果的に抑制できるとともに、目的配光を有効に実現できる。
【００３１】
次に、本発明の第２の実施形態に係る照明器具及び照明装置について図６を参照して説明する。なお、第１の実施形態と同一又は相当部分には、同一符号を付して重複した説明は省略する。本実施形態は、第１の実施形態とは、灯体１の形態が異なる。カバー３は、傘状に形成されており、その内面には反射面Ｒが鏡面処理等によって形成されている。また、グローブ４は、上方に向かって拡開するようにテーパ状に形成されている。
このような形態においても、第１の実施形態と同様な効果を奏することができる。
【００３２】
なお、本発明は、上記各実施形態の構成に限定されることなく、発明の要旨を逸脱しない範囲で種々の変形が可能である。例えば、上方遮光体７及び下方遮光体８は、光源２を覆うように半円弧状に形成するのが好ましいが、平板状や波状に形成されたものであってもよく、その大きさや形状は格別限定されるものではない。また、上方遮光体７と下方遮光体８とを一体的に構成してもよい。さらに、上方遮光体７と下方遮光体８とは、光源２の中心軸に対して上下対角位置に配置されれば、必ずしも上記仮想線Ｌを基準として配置する必要はない。光源２には、高圧放電ランプの他、無電極点灯方式のランプ、蛍光ランプ、ハロゲンランプのような白熱電球やＬＥＤ等の固体発光素子等の適用が可能である。
【符号の説明】
【００３３】
２・・・光源、３・・・カバー、４・・・グローブ、５・・・反射鏡、
７・・・上方遮光体、８・・・下方遮光体、Ｒ・・・反射面、Ｐ・・・ポール
【図１】
2010272325.tif 000003
【図２】
2010272325.tif 000004
【図３】
2010272325.tif 000005
【図４】
2010272325.tif 000006
【図５】
2010272325.tif 000007
【図６】
2010272325.tif 000008
【図７】
2010272325.tif 000009
【図８】
2010272325.tif 000010